(57)【要約】【課題】切開処置が短時間で完了しかつ凝固処置が確実に行える発熱処置具用制御装置及び発熱処置装置を提供する。【解決手段】  生体組織に凝固及び／又は切開処置を行う発熱処置具４を有する発熱処置装置。温度測定部８６は、発熱処置具４の作動温度を測定する。設定温度値設定部１０２は、所定の基準温度値に、入力された補正温度値を加算することにより設定温度値を設定する。補正温度値入力部１０４は、設定温度値を発熱処置具４が生体組織に主に凝固作用を生じさせる第１の設定温度値とする第１の補正温度値と、主に切開作用を生じさせる第２の設定温度値とする第２の補正温度値との間を経時的に移行する変化パターンを有する補正温度値を設定温度値設定部１０２に入力する。出力部９０が、発熱処置具４が設定された設定温度値で作動するように設定温度値と作動温度との差に応じて発熱処置具４に電力を供給する。【選択図】      図５
2005110713.tif 000002
【特許請求の範囲】
【請求項１】
生体組織に凝固及び／又は切開処置を行う発熱処置具と、
前記発熱処置具の作動温度を測定する温度測定部と、
所定の基準温度値に、入力された補正温度値を加算することにより設定温度値を設定する設定温度値設定部と、
前記設定温度値を前記発熱処置具が生体組織に主に凝固作用を生じさせる第１の設定温度値とする第１の補正温度値と、主に切開作用を生じさせる第２の設定温度値とする第２の補正温度値との間を経時的に移行する変化パターンを有する補正温度値を前記設定温度値設定部に入力する補正温度値入力部と、
前記発熱処置具が設定された設定温度値で作動するように前記設定温度値と前記作動温度との差に応じて前記発熱処置具に電力を供給する出力部とを、
具備することを特徴とする発熱処置装置。
【請求項２】
前記変化パターンは、前記第１の補正温度値と前記第２の補正温度値との間を周期的に移行する周期パターンであることを特徴とする請求項１の発熱処置装置。
【請求項３】
前記周期パターンは、前記第１の補正温度値を下限とし、前記第２の補正温度値を上限とする三角波パターンであることを特徴とする請求項２の発熱処置装置。
【請求項４】
前記周期パターンは、前記第１の補正温度値を下限とし、前記第２の補正温度値を上限とする矩形波パターンであることを特徴とする請求項２の発熱処置装置。
【請求項５】
前記温度測定部は、前記発熱処置具に設けられている発熱する発熱手段の温度を測定することを特徴とする請求項１乃至４のいずれか１の発熱処置装置。
【請求項６】
前記温度測定部は、前記発熱処置具に設けられている把持部に把持された生体組織の温度を測定することを特徴とする請求項１乃至４のいずれか１の発熱処置装置。
【請求項７】
生体組織に凝固及び／又は切開処置を行う発熱処置具を制御する発熱処置具用制御装置において、
所定の基準温度値に、入力された補正温度値を加算することにより設定温度値を設定する設定温度値設定部と、
前記設定温度値を前記発熱処置具が生体組織に主に凝固作用を生じさせる第１の設定温度値とする第１の補正温度値と、主に切開作用を生じさせる第２の設定温度値とする第２の補正温度値との間を経時的に移行する変化パターンを有する補正温度値を前記設定温度値設定部に入力する補正温度値入力部と、
前記発熱処置具が設定された設定温度値で作動するように、前記発熱処理具の測定された作動温度と前記設定温度値との差に応じて前記発熱処置具に電力を供給する出力部とを設けたことを特徴とする発熱処置具用制御装置。
【請求項８】
前記変化パターンは、前記第１の補正温度値と前記第２の補正温度値との間を周期的に移行する周期パターンであることを特徴とする請求項７の発熱処置具用制御装置。
【請求項９】
前記周期パターンは、前記第１の補正温度値を下限とし、前記第２の補正温度値を上限とする三角波パターンであることを特徴とする請求項８の発熱処置具用制御装置。
【請求項１０】
前記周期パターンは、前記第１の補正温度値を下限とし、前記第２の補正温度値を上限とする矩形波パターンであることを特徴とする請求項８の発熱処置具用制御装置。
【発明の詳細な説明】
【技術分野】
【０００１】
外科手術あるいは内科手術で生体組織に凝固、切開等の処置を行う発熱処置装置及び発熱処置具のための制御装置に関する。
【背景技術】
【０００２】
従来、外科手術あるいは内科手術で、生体組織に凝固、切開等の処置を行う発熱処置装置が使用されている。このような発熱処置装置の一例として、特許文献１で示される装置がある。この装置は、発熱された切開用縁部（発熱手段）によって生体組織に処置を行う外科用メス（発熱処置具）を有する。この切開用縁部は、電気的に加熱されるエレメントからなる。この加熱用エレメントは、外科用メスの刃型手段の縁部に配設されている。外科用メスの後端部から接続ケーブルが延出されており、この接続ケーブルは、エレメントの温度を制御するための制御装置に接続されている。
【０００３】
エレメントの温度は、以下のように制御される。エレメントには、エレメントに電力を供給するためのリード線の先端部が接続されている。このリード線は、接続ケーブルを介して、制御装置内の回路に接続されている。エレメント、リード線、及び、制御回路内の回路によって、ブリッジ回路が形成されている。
【０００４】
エレメントの抵抗値は、温度に応じて変化するようになっている。このため、エレメントの抵抗値が一定に保たれるように、エレメントに供給される電力をブリッジ回路によって制御することにより、エレメントの温度を一定に保つことが可能である。ここで、エレメントの抵抗値の目標値は所定の範囲内で任意に設定可能であるため、エレメントを所定の範囲内の任意の温度に設定することが可能となっている。
【０００５】
エレメントによる生体組織の凝固、切開のメカニズムの詳細を以下で説明する。外科用メスのエレメントによって生体組織が加熱され、生体組織の温度が６０℃以上に達すると、生体組織内のタンパク質が変化して粘着性を有するようになる。生体組織がさらに高い温度（１００℃程度）に加熱されると、生体組織内の細胞は乾燥していく。このようにして、生体組織に凝固、乾燥作用が生じる。生体組織がさらに高い温度に加熱されると、生体組織は破壊され、この結果、生体組織が切れ別れる。このようにして、生体組織に切開作用が生じる。
【０００６】
即ち、例えばエレメントの温度を２００℃以上に設定すれば、生体組織は組織破壊が起こる温度まで加熱されるので、エレメントによって生体組織に切開処置を行うことができる。一方、エレメントの温度を２００℃以下で且つ生体組織の凝固作用が生じ始める温度よりも充分高い温度に設定すれば、短時間で確実に生体組織に凝固処置を行うことができる。このように、使用者は、エレメントの設定温度を設定することで、切開処置あるいは凝固処置を任意に行うことが可能である。
【特許文献１】特公昭５３−９０３１号公報
【発明の開示】
【発明が解決しようとする課題】
【０００７】
ここで、例えばエレメントの設定温度を２３０℃に設定して生体組織に処置を行った場合、エレメントと生体組織の接触領域の温度は瞬時に２００℃以上に上昇し、生体組織を短時間で切開することができる。しかしながら、このような短時間の処置では切開部の周囲の生体組織に熱が充分に伝わらず、凝固範囲が小さくなってしまう可能性がある。
【０００８】
一方、例えば設定温度２１０℃にて切開を行った場合、切開部の周囲の生体組織に熱が充分に伝わるために、凝固範囲は充分に大きくなる。しかしながら、切開が起こる温度まで加熱される生体組織の領域が小さくなってしまう。この結果、切開処置を完了するまでの時間が長くなってしまう可能性がある。
【０００９】
本発明は、上記課題に着目してなされたもので、その目的とするところは、切開処置が短時間で完了しかつ凝固処置が確実に行える発熱処置具用制御装置及び発熱処置装置を提供することである。
【課題を解決するための手段】
【００１０】
請求項１の発明は、生体組織に凝固及び／又は切開処置を行う発熱処置具と、
前記発熱処置具の作動温度を測定する温度測定部と、
所定の基準温度値に、入力された補正温度値を加算することにより設定温度値を設定する設定温度値設定部と、
前記設定温度値を前記発熱処置具が生体組織に主に凝固作用を生じさせる第１の設定温度値とする第１の補正温度値と、主に切開作用を生じさせる第２の設定温度値とする第２の補正温度値との間を経時的に移行する変化パターンを有する補正温度値を前記設定温度値設定部に入力する補正温度値入力部と、
前記発熱処置具が設定された設定温度値で作動するように前記設定温度値と前記作動温度との差に応じて前記発熱処置具に電力を供給する出力部とを、
具備することを特徴とする発熱処置装置である。
【００１１】
そして、本請求項１の発明では、一定の基準温度値と、補正温度値入力部から出力され、設定温度値を発熱処置具が生体組織に主に凝固作用を生じさせる第１の設定温度値とする第１の補正温度値と主に切開作用を生じさせる第２の設定温度値とする第２の補正温度値との間を経時的に移行する変化パターンを有する補正温度値とを加算することにより、設定温度値設定部において設定温度値を設定し、発熱処置具が設定された設定温度値で作動するように、設定温度と、発熱処置具の作動温度を測定する温度測定部により測定された作動温度との差に応じて発熱処置具に出力部によって電力を供給し、発熱処置具により生体組織に凝固及び／又は切開処置を行うようにしたものである。
【００１２】
請求項２の発明は、前記変化パターンは、前記第１の補正温度値と前記第２の補正温度値との間を周期的に移行する周期パターンであることを特徴とする請求項１の発熱処置装置である。
【００１３】
そして、本請求項２の発明では、変化パターンを、第１の補正温度値と第２の補正温度値との間を周期的に移行する周期パターンとしたものである。
【００１４】
請求項３の発明は、前記周期パターンは、前記第１の補正温度値を下限とし、前記第２の補正温度値を上限とする三角波パターンであることを特徴とする請求項２の発熱処置装置である。
【００１５】
そして、本請求項３の発明では、周期パターンを、第１の補正温度値を下限とし、第２の補正温度値を上限とする三角波パターンとしたものである
請求項４の発明は、前記周期パターンは、前記第１の補正温度値を下限とし、前記第２の補正温度値を上限とする矩形波パターンであることを特徴とする請求項２の発熱処置装置である。
【００１６】
そして、本請求項４の発明では、周期パターンを、第１の補正温度値を下限とし、第２の補正温度値を上限とする矩形波パターンとしたものである。
【００１７】
請求項５の発明は、前記温度測定部は、前記発熱処置具に設けられている発熱する発熱手段の温度を測定することを特徴とする請求項１乃至４のいずれか１の発熱処置装置である。
【００１８】
そして、本請求項５の発明では、温度測定部によって、発熱処置具に設けられている発熱する発熱手段の温度を測定するようにしたものである。
【００１９】
請求項６の発明は、前記温度測定部は、前記発熱処置具に設けられている把持部に把持された生体組織の温度を測定することを特徴とする請求項１乃至４のいずれか１の発熱処置装置である。
【００２０】
そして、本請求項６の発明では、温度測定部によって、発熱処置具に設けられている把持部に把持された生体組織の温度を測定するようにしたものである。
【００２１】
請求項７の発明は、生体組織に凝固及び／又は切開処置を行う発熱処置具を制御する発熱処置具用制御装置において、
所定の基準温度値に、入力された補正温度値を加算することにより設定温度値を設定する設定温度値設定部と、
前記設定温度値を前記発熱処置具が生体組織に主に凝固作用を生じさせる第１の設定温度値とする第１の補正温度値と、主に切開作用を生じさせる第２の設定温度値とする第２の補正温度値との間を経時的に移行する変化パターンを有する補正温度値を前記設定温度値設定部に入力する補正温度値入力部と、
前記発熱処置具が設定された設定温度値で作動するように、前記発熱処理具の測定された作動温度と前記設定温度値との差に応じて前記発熱処置具に電力を供給する出力部とを設けたことを特徴とする発熱処置具用制御装置である。
【００２２】
そして、本請求項７の発明では、一定の基準温度値と、補正温度値入力部から出力され、設定温度値を発熱処置具が生体組織に主に凝固作用を生じさせる第１の設定温度値とする第１の補正温度値と主に切開作用を生じさせる第２の設定温度値とする第２の補正温度値との間を経時的に移行する変化パターンを有する補正温度値とを加算することにより、設定温度値設定部において設定温度値を設定し、発熱処置具が設定された設定温度値で作動するように、発熱処置具の測定された作動温度と設定温度との差に応じて、発熱処置具に出力部によって電力を供給するようにしたものである。
【００２３】
請求項８の発明は、前記変化パターンは、前記第１の補正温度値と前記第２の補正温度値との間を周期的に移行する周期パターンであることを特徴とする請求項７の発熱処置具用制御装置である。
【００２４】
そして、本請求項８の発明では、周期パターンを、第１の補正温度値と第２の補正温度値との間を周期的に移行する周期パターンとしたものである。
【００２５】
請求項９の発明は、前記周期パターンは、前記第１の補正温度値を下限とし、前記第２の補正温度値を上限とする三角波パターンであることを特徴とする請求項８の発熱処置具用制御装置である。
【００２６】
そして、本請求項９の発明では、周期パターンを、第１の補正温度値を下限とし、第２の補正温度値を上限とする三角波パターンとしたものである。
【００２７】
請求項１０の発明は、前記周期パターンは、前記第１の補正温度値を下限とし、前記第２の補正温度値を上限とする矩形波パターンであることを特徴とする請求項８の発熱処置具用制御装置である。
【００２８】
そして、本請求項１０の発明では、周期パターンを、第１の補正温度値を下限とし、第２の補正温度値を上限とする矩形波パターンとしたものである。
【発明の効果】
【００２９】
本発明によれば、切開処置が短時間で完了しかつ凝固処置が確実に行えるようになっている。
【発明を実施するための最良の形態】
【００３０】
以下、本発明の第１実施形態を図１乃至９を参照して説明する。図１は、本発明の第１実施形態の発熱処置装置２の全体の概略構成を示す。この発熱処置装置２は、後述する発熱手段４４を用いて生体組織に凝固切開処置を行う発熱処置具４を有する。本実施形態では、この発熱処置具４は凝固切開鉗子として形成されている。
【００３１】
発熱処置具４の後端部から、接続ケーブル６が延出されている。この接続ケーブル６の後端部には、コネクタ８が配設されている。このコネクタ８は、発熱処置具４を制御する発熱処置具用制御装置１０（以下、制御装置と称する）に着脱自在に接続されている。
【００３２】
この制御装置１０には、制御装置１０を操作するためのフットスイッチ１２が接続されている。このフットスイッチ１２には，最高レベルスイッチ１４と設定レベルスイッチ１６とが並設されている。発熱処置具４は、最高レベルスイッチ１４が押下されると最高の後述する温度レベルで作動され、設定レベルスイッチ１６が押下されると設定された温度レベルで作動される構成となっている。
【００３３】
図２に発熱処置具４の具体的な構成を示す。この発熱処置具４は、第１の鋏部材１８と第２の鋏部材２０とを交差部で枢支軸２２を介して枢支することにより形成されている。発熱処置具４の先端側には、生体組織を把持する把持部２４が配設されている。この把持部２４は、固定刃部２６と、この固定刃部２６に対して枢支軸２２を中心として開閉可能な可動刃部２８とを有する。
【００３４】
発熱処置具４の後端側には、把持部２４を開閉操作するためのハンドル部３０が配設されている。このハンドル部３０は、固定ハンドル３２と、この固定ハンドル３２に対して枢支軸２２を中心として開閉可能な可動ハンドル３４とを有する。これら固定ハンドル３２と可動ハンドル３４との後端部には、夫々、使用者が指を入れて操作する指掛けリング３６ａ，３６ｂが配設されている。固定ハンドル３２の指掛けリング３６ｂの後端部から、上記接続ケーブル６が延出されている。
【００３５】
図３に把持部２４の詳細な構成を示す。図３（Ａ）に示されるように、固定刃部２６の内面（生体組織と接触する側の面）には、板状の発熱板３８が配設されている。この発熱板３８は、固定刃部２６の長手方向に沿って延設され、可動刃部２８に向かって突出している。発熱板３８は例えばセラミックで形成されている。
【００３６】
発熱板３８の上部には、長手方向に沿って複数の凹部４０ａ，４０ｂ，４０ｃが延設されている。これら凹部４０ａ，４０ｂ，４０ｃ内に発熱板３８を加熱する発熱素子４２ａ，４２ｂ，４２ｃが配設されている。これら発熱素子４２ａ，４２ｂ，４２ｃと発熱板３８とにより発熱手段４４が形成されている。発熱素子４２ａ，４２ｂ，４２ｃは、例えば薄膜抵抗体である。また、発熱素子４２ａ，４２ｂ，４２ｃには、夫々、発熱素子４２ａ，４２ｂ，４２ｃに通電するための第１及び第２のリード線を有する素子ケーブル４６ａ，４６ｂ，４６ｃの先端部が接続されている。これら素子ケーブル４６ａ，４６ｂ，４６ｃは、第１の鋏部材１８内を延設され、上記接続ケーブル６中へと挿通されている（図２参照）。
【００３７】
一方、可動刃部２８には、固定刃部２６の発熱板３８に対向して弾性部材４８が配設されている。この弾性部材４８は、可動刃部２８の長手方向に沿って延設されている。また、弾性部材４８は、発熱板３８と共同して生体組織を把持する鋸刃部５０を有する。この鋸刃部５０は、可動刃部２８の両縁部において長手方向に沿って延設されている。
【００３８】
図４（Ａ）に示されるように、制御装置１０の前面パネル５２には、発熱処置具４の接続ケーブル６のコネクタ８（図１参照）が着脱自在に接続されるコネクタ受け部５４が配設されている。また、前面パネル５２には、制御装置１０の電源をＯＮ／ＯＦＦ操作するための電源スイッチ５６が配設されている。
【００３９】
そして、前面パネル５２には、温度レベルを設定するための温度レベル設定スイッチ５８が配設されている。この温度レベル設定スイッチは、温度レベルのＵＰスイッチ５８ａとＤＯＷＮスイッチ５８ｂとから形成されている。温度レベルは、最低温度レベルから最高温度レベルまでの数段階のレベルから選択可能となっている。本実施形態では、温度レベルとして１レベルから５レベルまでの５段階のレベルが設定可能となっている。また、設定された温度レベルを表示する温度レベル表示ＬＥＤ６０が温度レベル設定スイッチ５８に並設されている。
【００４０】
さらに、前面パネル５２には、制御装置１０をスタンバイ状態と出力可能状態との間で切り替えるスタンバイスイッチ６２が配設されている。制御装置１０がスタンバイ状態にあるときに点灯するスタンバイ表示ＬＥＤ６４がスタンバイスイッチ６２に並設されている。
【００４１】
そしてまた、前面パネル５２には、発熱処置具４の発熱素子４２ａ，４２ｂ，４２ｃ（図３参照）に通電中であることを示す出力表示ＬＥＤ６６が配設されている。さらにまた、前面パネル５２には、発熱処置具４の発熱素子４２ａ，４２ｂ，４２ｃ（図３参照）に異常がある場合に点灯する処置具異常表示ＬＥＤ６８が配設され、また、制御装置１０の内部に異常発熱がある場合に点灯する電源異常表示ＬＥＤ７０が配設されている。その上、前面パネル５２には、各種警告音を発生するためのブザー７２が配設されている。
【００４２】
一方、図４（Ｂ）に示されるように、制御装置１０の背面パネル７４には、制御装置１０に電力を供給するための電源ケーブルが接続される電源インレット７６が配設されている。さらに、背面パネル７４には、フットスイッチ１２（図１参照）から延出されているフットスイッチケーブルの末端部に配設されているフットスイッチコネクタが接続されるフットスイッチコネクタ受け部７８が配設されている。
【００４３】
図５に発熱処置装置２の回路ブロック図を示す。制御装置１０のコネクタ受け部８０には、接続ケーブル６のコネクタ８が接続される。このコネクタ８には、各素子ケーブル４６ａ，４６ｂ，４６ｃの第１のリード線の後端部が夫々接続されている第１のコネクタ端子８２ａ，８２ｂ，８２ｃと、第２のリード線の後端部が夫々接続されている第２のコネクタ端子８４ａ，８４ｂ，８４ｃとが配設されている。
【００４４】
第１のコネクタ端子８２ａ，８２ｂ，８２ｃ及び第２のコネクタ端子８４ａ，８４ｂ，８４ｃは、夫々、各発熱素子４２ａ，４２ｂ，４２ｃの温度を測定する各素子温度測定部８６ａ，８６ｂ，８６ｃに接続されている。これら素子温度測定部８６ａ，８６ｂ，８６ｃは、発熱素子４２ａ，４２ｂ，４２ｃに流れる電流値及び電圧値を測定することにより発熱素子４２ａ，４２ｂ，４２ｃの抵抗値を検出する抵抗値検出機能を有する。そして、素子温度測定部８６ａ，８６ｂ，８６ｃは、発熱素子４２ａ，４２ｂ，４２ｃの抵抗値が温度に応じて変化することを利用して発熱素子４２ａ，４２ｂ，４２ｃの温度を算出するようになっている。
【００４５】
各素子温度測定部８６ａ，８６ｂ，８６ｃは、各発熱素子４２ａ，４２ｂ，４２ｃへの出力値を決定する各素子温度制御部８８ａ，８８ｂ，８８ｃに接続されている。素子温度制御部８８ａ，８８ｂ，８８ｃは、後述する設定温度値設定部１０２から入力される設定温度値と、素子温度測定部８６ａ，８６ｂ，８６ｃから入力される発熱素子４２ａ，４２ｂ，４２ｃの測定温度との差に基づいて各発熱素子４２ａ，４２ｂ，４２ｃへの出力値を決定するようになっている。
【００４６】
各素子温度制御部８８ａ，８８ｂ，８８ｃは、各素子温度制御部８８ａ，８８ｂ，８８ｃから入力される出力値に応じて電力を出力する各出力部９０ａ，９０ｂ，９０ｃに接続されている。各出力部９０ａ，９０ｂ，９０ｃは、コネクタ８の第１のコネクタ端子８２ａ，８２ｂ，８２ｃ及び第２のコネクタ端子８４ａ，８４ｂ，８４ｃに夫々接続されており、接続ケーブル６を介して各発熱素子４２ａ，４２ｂ，４２ｃに電力を供給するようになっている。
【００４７】
発熱処置装置２の制御装置１０は、制御装置１０を制御するための制御部９２を有する。この制御部９２には、制御装置１０の前面パネル５２の各種スイッチ（図４（Ａ）参照）により形成されている操作部９４が接続されている。また、制御部９２には、制御装置１０の前面パネル５２の各種表示ＬＥＤ（図４（Ａ）参照）により形成されている表示部９６及びブザー７２が接続されている。
【００４８】
さらに、制御部９２には、フットスイッチ１２の操作結果を制御部９２に入力するフットスイッチ入力部９８が接続されている。フットスイッチ入力部９８は、制御装置１０のフットスイッチコネクタ受け部７８を介してフットスイッチ１２に接続される。
【００４９】
制御部９２は、発熱処置具４への出力中に、フットスイッチ１２の最高レベルスイッチ１４と設定レベルスイッチ１６のいずれが押下されているか操作者に告知するようになっている。即ち、最高レベルスイッチ１４が押下されている場合には、表示部９６の出力表示ＬＥＤ６６（図４参照）を点灯させ、ブザー７２を連続音で発音させるようになっている。また、設定レベルスイッチ１６が押下されている場合には、出力表示ＬＥＤ６６（図４参照）を点滅させ、ブザー７２を間欠音で発音させるようになっている。なお、フットスイッチ１２の最高レベルスイッチ１４と設定レベルスイッチ１６のいずれが押下されているかによって、発音の周波数を変調するようにしてもよい。
【００５０】
さらに、制御部９２は、フットスイッチ１２及び操作部９４の温度レベル設定スイッチ５８の操作に基づいて温度レベルを選択するようになっている。即ち、フットスイッチ１２の最高レベルスイッチ１４が押下された場合には、最高の温度レベルを選択し、設定レベルスイッチ１６が押下された場合には、温度レベル設定スイッチ５８によって設定された温度レベルを選択するようになっている。
【００５１】
制御部９２は、選択した温度レベルに対応する基準温度値を基準温度値入力部に出力するようになっている。本実施形態では、温度レベルの１レベルから５レベルに、１６０℃から２００℃までの１０℃間隔の温度が対応付けられている。
【００５２】
基準温度値入力部１００は、設定温度値設定部１０２に基準温度値を入力するようになっている。また、制御部９２は、フットスイッチ１２がＯＮにされた場合には、補正温度値入力部１０４にＯＮ信号を入力するようになっている。補正温度値入力部１０４は、制御部９２からＯＮ信号を入力されている場合には、補正温度値を設定温度値設定部１０２に入力するようになっている。設定温度値設定部１０２は、基準温度値と補正温度値とを加算することにより設定温度値を設定し、この設定された設定温度値を上記したように各素子温度制御部８８ａ，８８ｂ，８８ｃに入力するようになっている。なお、設定温度値は、各発熱素子４２ａ，４２ｂ，４２ｃについて等しくなっている。
【００５３】
補正温度値入力部１０４には、補正温度値の経時的な変化パターンを記録する補正温度値記録部１０６が接続されている。本実施形態の補正温度値の変化パターンを図６に示す。図６では、縦軸が補正温度値を示し、横軸がフットスイッチの押下により開始される発熱処置具への出力の継続時間（出力時間）を示す。
【００５４】
この変化パターンでは、出力時間０ｓｅｃで補正温度値は０℃である。出力時間２ｓｅｃでは補正温度値は４０℃となる。出力時間０ｓｅｃから２ｓｅｃまでの間、補正温度値は直線的に増加している。この後、出力時間２ｓｅｃから４ｓｅｃまでの間、補正温度値は直線的に減少している。そして、出力時間４ｓｅｃには補正温度値は再び０℃となる。これ以後、変化パターンは、出力時間０ｓｅｃから４ｓｅｃまでの変化を繰り返す。即ち、本実施形態の変化パターンは、周期的な三角波パターンとなっている。
【００５５】
再び図５を参照すると、制御部９２は、制御装置１０をスタンバイ状態と出力可能状態と停止状態との間で切り替える機能を有する。このうち、スタンバイ状態と出力可能状態とは、操作部９４のスタンバイスイッチ６２（図４（Ａ）参照）の操作により切り替えられるようになっている。制御装置１０がスタンバイ状態にある場合には、フットスイッチ１２を操作しても発熱処置具４に出力を行うことができないようになっている。スタンバイスイッチ６２により制御装置１０を出力可能状態に移行させると、フットスイッチ１２を操作することにより発熱処置具４に出力を行うことが可能となる。
【００５６】
また、第１のコネクタ端子８２ａ，８２ｂ，８２ｃは、夫々、発熱素子４２ａ，４２ｂ，４２ｃの異常を判別する各素子状態判断部１０８ａ，１０８ｂ，１０８ｃに接続されている。素子状態判断部１０８ａ，１０８ｂ，１０８ｃは、素子温度測定部８６ａ，８６ｂ，８６ｃと同様な抵抗値検出機能により発熱素子４２ａ，４２ｂ，４２ｃの抵抗値を測定し、測定された抵抗値が所定の範囲内にあれば発熱素子４２ａ，４２ｂ，４２ｃが正常状態にあると判断し、測定された測定値が範囲外にあれば発熱素子４２ａ，４２ｂ，４２ｃが異常状態にあると判断するようになっている。例えば、測定された抵抗値が１０Ω乃至１００Ωの範囲内にある場合には発熱素子４２ａ，４２ｂ，４２ｃが正常状態にあると判断し、一方、測定された抵抗値が上記１０Ω乃至１００Ωの範囲外にある場合には発熱素子４２ａ，４２ｂ，４２ｃが異常状態にあると判断するようになっている。
【００５７】
各素子状態判断部１０８ａ，１０８ｂ，１０８ｃは、発熱処置具４の状態を判断する処置具異常判別部１１０に接続されている。処置具異常判別部１１０には、各素子状態判断部１０８ａ，１０８ｂ，１０８ｃの判断結果が入力され、処置具異常判別部１１０は、全ての発熱素子４２ａ，４２ｂ，４２ｃが正常状態にあれば発熱処置具４が正常状態にあると判別し、１つ以上の発熱素子４２ａ，４２ｂ，４２ｃが異常状態にあれば発熱処置具４が異常状態にあると判別するようになっている。
【００５８】
処置具異常判別部１１０は、制御部９２に接続され、制御部９２に判別結果を入力するようになっている。制御部９２は、処置具異常判別部１１０が発熱処置具４が正常状態にあると判別している場合には、表示部９６の処置具異常表示ＬＥＤ６８（図４（Ａ）参照）を消灯させ、ブザー７２を停止させるようになっている。一方、制御部９２は、処置具異常判別部１１０が発熱処置具４が異常状態にあると判別した場合には、制御装置１０をスタンバイ状態あるいは出力可能状態から強制的に停止状態に移行させ、表示部９６の処置具異常表示ＬＥＤ６８（図４（Ａ）参照）を点灯させ、ブザー７２を発音させるようになっている。
【００５９】
また、制御部９２には，制御装置１０内の異常発熱を監視し、異常発熱を判別した場合には制御部９２に異常信号を送信する電源異常判別部１１２が接続されている。制御部９２は、電源異常判別部１１２が電源異常を判別していない場合には、表示部９６の電源異常表示ＬＥＤ７０（図４（Ａ）参照）を消灯させ、ブザー７２を停止させるようになっている。一方、制御部９２は、電源異常判別部１１２が電源異常を判別した場合には、制御装置１０をスタンバイ状態あるいは出力可能状態から強制的に停止状態に移行させ、表示部９６の電源異常表示ＬＥＤ７０（図４（Ａ）参照）を点灯させ、ブザー７２を発音させるようになっている。
【００６０】
ここで、制御装置１０が停止状態にある場合には、フットスイッチ１２を押下しても発熱処置具４に出力を行うことはできないようになっている。また、制御装置１０が異常状態から正常状態に復帰するまでは、制御装置１０は停止状態に保たれるようになっている。制御部９２は、発熱処置具４への出力中に制御装置１０を停止状態に移行された場合には、発熱処置具４への出力を停止するようになっている。制御部９２は、制御装置１０を出力可能状態から停止状態に移行させた場合であっても、発熱処置具４または制御装置１０が異常状態から正常状態に復帰したときに制御装置１０を停止状態から出力可能状態に切り替えず、スタンバイ状態に切り替えるようになっている。
【００６１】
次に、図７及び図８のフローチャートを参照して、上記構成の本実施形態の発熱処置装置２の作用について説明する。まず、ステップＳ１で、制御装置１０の電源スイッチ５６をＯＮにして制御装置１０を起動する。さらに、ステップＳ２で、発熱処置具４のコネクタ８を制御装置１０のコネクタ受け部８０に接続する。そして、ステップＳ３で、制御部９２の処置具異常判別部１１０は発熱処置具４の状態が正常か否か判別する。
【００６２】
ステップＳ３で発熱処置具４に異常があると判断された場合には、ステップＳ４に進む。このステップＳ４では、制御装置１０は停止状態に移行され、制御装置１０の前面パネル５２の処置具異常表示ＬＥＤ６８が点灯し、ブザー７２が連続音を発する。この場合、操作者は、異常な発熱処置具４を別の発熱処置具４と交換する。
【００６３】
ステップＳ３で発熱処置具４が正常であると判断された場合には、ステップＳ５に進む。このステップＳ５で、制御部９２は制御装置１０をスタンバイ状態に移行させる。このステップＳ５の後、発熱処置具４による手術操作を開始する。
【００６４】
なお、前記ステップＳ３の処理は、制御装置１０に発熱処置具４が接続されている間は常時行われる。よって、後述する発熱処置具４の発熱中に、発熱処置具４に異常があると判断された場合には、前記ステップＳ４と同様、制御装置１０は停止状態に移行され、処置具異常表示ＬＥＤ６８が点灯し、ブザー７２が連続音を発する。この場合、操作者は、異常な発熱処置具４を別の発熱処置具４と交換しなければ処置を続行できない。
【００６５】
まず、ステップＳ６で、前面パネル５２の温度レベルのＵＰスイッチ５８ａ又はＤＯＷＮスイッチ５８ｂを操作して温度レベルを設定する。このステップＳ６で、温度レベルがレベル３に設定されたとして以下説明する。
【００６６】
発熱処置具４のハンドル部３０を操作して、発熱処置具４を凝固切開処置の目標となる生体組織に接近させる。そして、ハンドル部３０を開閉操作して、目標生体組織を固定刃部２６と可動刃部２８とによって把持する。この際、生体組織は、固定刃部２６の発熱板３８と可動刃部２８の弾性部材４８とによって確実に把持されている。
【００６７】
次に、ステップＳ７で、制御装置１０が出力可能状態にあるか否か判断する。ステップＳ７で、制御装置１０が出力可能状態にない（即ち、スタンバイ状態にある）と判断された場合には、ステップＳ８へ進む。このステップＳ８では、スタンバイスイッチ６２を押下して、制御装置１０をスタンバイ状態から出力可能状態へと移行する。このとき、スタンバイ表示ＬＥＤ６４が消灯する。この後、再びステップＳ７に進む。
【００６８】
ステップＳ７で、制御装置１０が出力可能状態にあると判断された場合には、ステップＳ９へ進む。ステップＳ９では、フットスイッチ１２が押下されているか否か判断する。ステップＳ９で、フットスイッチ１２が押下されていると判断された場合には、次のステップに進む。
【００６９】
図８に示されるように、ステップＳ１０で、フットスイッチ１２の最高レベルスイッチ１４と設定レベルスイッチ１６とのどちらが押下されたか判断する。ステップＳ１０で、最高レベルスイッチ１４が押下されたと判断した場合には、ステップＳ１１に進む。このステップＳ１１では、基準温度値は、最高の温度レベルである温度レベル５に対応した２００℃に設定される。そして、ステップＳ１３で、出力表示ＬＥＤ６６が点灯して、ブザー７２が連続音を発する。
【００７０】
一方、ステップＳ１０で、設定レベルスイッチ１６が押下されたと判断した場合には、ステップＳ１２に進む。ステップＳ１２では、基準温度値は、設定された温度レベルであるレベル３に対応した１６０℃に設定される。そして、ステップＳ１４で、出力表示ＬＥＤ６６が点滅して、ブザー７２が間欠音を発する。
【００７１】
基準温度値入力部１００は、基準温度値を設定温度値設定部１０２に入力する。また、補正温度値入力部１０４は、フットスイッチ１２の押下開始からの経過時間に応じて、補正温度値記録部１０６に記録された変化パターンに従って補正温度値を設定温度値設定部１０２に入力する。ステップＳ１５で、設定温度値設定部１０２は、基準温度値と補正温度値とを加算して設定温度値を決定する。そして、設定温度値設定部１０２は、各素子温度制御部８８ａ，８８ｂ，８８ｃに設定温度値を入力する。
【００７２】
一方、各素子温度測定部８６ａ，８６ｂ，８６ｃは、各発熱素子４２ａ，４２ｂ，４２ｃの作動温度を測定する（ステップＳ１６）。そして、各素子温度測定部８６ａ，８６ｂ，８６ｃは、各素子温度制御部８８ａ，８８ｂ，８８ｃに測定温度を入力する。
【００７３】
ステップＳ１７で、各素子温度制御部８８ａ，８８ｂ，８８ｃは、各発熱素子４２ａ，４２ｂ，４２ｃの作動温度と設定温度値との差に基づいて各出力値を決定する。そして、各素子温度制御部８８ａ，８８ｂ，８８ｃは、各出力部９０ａ，９０ｂ，９０ｃに出力値を入力する。さらに、ステップＳ１８で、各出力部９０ａ，９０ｂ，９０ｃは、入力された各出力値に応じて各発熱素子に電力を出力して、発熱素子４２ａ，４２ｂ，４２ｃを設定温度値で発熱させる。
【００７４】
このように発熱された発熱素子４２ａ，４２ｂ，４２ｃにより発熱板３８を加熱して、加熱された発熱板３８を把持部２４に把持された生体組織に押圧して生体組織に処置を行う。フットスイッチ１２の設定レベルスイッチ１６が押下されている場合には、押下開始時の設定温度値は１８０℃となる。
【００７５】
このとき、発熱板３８の作動温度はほぼ１８０℃であり、生体組織は１８０℃以上に加熱されることはない。即ち、生体組織には凝固作用が生じる。特に、発熱板３８と生体組織との接触領域で充分な凝固処置が施される。また、発熱板３８周辺の生体組織は充分に暖められる。
【００７６】
ステップＳ１９では、フットスイッチ１２が離されたか否か判断する。ステップＳ１９で、フットスイッチ１２が離されてない（即ち、フットスイッチ１２が連続して押下されている）と判断した場合には、ステップＳ２０へ進む。ステップＳ２０では、補正温度値が更新される。そして、ステップＳ１５へと進む。
【００７７】
ステップＳ１５乃至Ｓ２０を繰り返すことにより、設定温度値は２秒間で２２０℃まで直線的に増加する。また、発熱板３８の温度も設定温度値にほぼ追随して変化する。この結果、発熱板３８と生体組織との接触領域では、生体組織の温度が２２０℃まで加熱され生体組織に組織破壊が生じ始める。発熱板３８と生体組織との接触領域では、生体組織に充分な加熱が行われ、組織破壊が促進され、切開作用が生じる。同時に、生体組織の発熱板３８から離れた領域においても、これまでの発熱板３８の発熱により生体組織に充分に熱量が与えられており、広範囲において充分な凝固作用が生じる。
【００７８】
この後、さらにステップＳ１５乃至Ｓ２０を繰り返すことにより、設定温度値は２秒間で２２０℃から１８０℃まで直線的に減少し、この設定温度値にほぼ追随して発熱板３８の温度も変化する。この結果、発熱板３８と生体組織との接触領域では、温度が低下して切開作用が停止され、凝固作用が生じる。また、発熱板３８周辺の生体組織は充分に暖められる。
【００７９】
上記した作用を繰り返すことにより、最終的に生体組織への切開処置が完了する。ステップＳ１９で、フットスイッチが離されたと判断された場合には、ステップＳ２１へ進む。ステップＳ２１では、出力表示ＬＥＤ６６が消灯し、ブザー７２が停止する。そして、ステップＳ２２へ進み、出力が終了する。
【００８０】
なお、再びフットスイッチ１２を押下した場合には、補正温度値入力部１０４は、フットスイッチ１２の再度の押下開始からの経過時間に応じて、補正温度値記録部１０６に記録された変化パターンに従って補正温度値を設定温度値設定部１０２に入力する。
【００８１】
図９に示されるように、制御装置１０が電源スイッチ５６によりＯＮにされた後には、電源異常判別部１１２は常時電源異常を監視する（ステップＳ３１）。ステップＳ３１で電源異常が発生したと判断された場合には、ステップＳ３２に進む。ステップＳ３２で、制御部９２は制御装置１０を停止状態に強制的に移行させる。そして、ステップＳ３３で、制御装置１０から発熱処置具４への出力を停止する。さらに、ステップＳ３４で、制御部９２は電源異常表示ＬＥＤ７０を点灯させ、ブザー７２に連続音を発生させることにより電源異常を告知する。
【００８２】
一定の待ち時間（ステップＳ３５）の後、ステップＳ３６では、電源異常が解除されたか否かを判断する。電源異常が解除されていないと判断した場合には、ステップＳ３５へ戻る。
【００８３】
ステップＳ３６で、電源異常状態が解除されたと判断された場合には、ステップＳ３７へ進む。ステップＳ３７では、制御部９２は電源異常表示ＬＥＤ７０を消灯させ、ブザー７２を停止する。この後、ステップＳ５（図７参照）に進み、制御部９２は、制御装置１０をスタンバイ状態へと移行させる。
【００８４】
そこで、上記構成のものにあっては次の効果を奏する。操作部９４によって設定されフットスイッチ１２によって選択された温度レベルに応じた基準温度値に、補正温度値記録部１０６に記録された周期的な三角波パターンを有する補正温度値を加算することにより設定温度値を設定する。そして、発熱手段４４が設定温度値で作動するように、制御装置１０から発熱処置具４へと電力を供給する。
【００８５】
上記設定温度値にほぼ追随して発熱する発熱手段４４によって、把持部２４に把持された生体組織に処置を行うため、発熱手段４４と生体組織との接触領域の周辺の生体組織の広い範囲に充分に熱が与えられると共に接触領域に熱が集中して伝えられる。従って、生体組織の切開領域の周辺の広い範囲で充分な凝固作用を生じさせると共に切開処置を素早く完了することが可能となっている。
【００８６】
より具体的に説明すれば、１８０℃の低温度で発熱する発熱手段４４によって、生体組織と発熱手段との接触領域の周辺の充分に広い範囲で凝固作用を発生させた後、２３０℃の高温度で発熱する発熱手段４４によって、接触領域において切開作用を促進させるようになっている。このため、単に設定温度値を１８０℃一定として処置を行った場合よりも短時間に切開処置を行うことが可能であり、かつ、設定温度値を２３０℃一定とした場合よりも広範囲な凝固範囲を得ることが可能となっている。
【００８７】
また、フットスイッチ１２の最高レベルスイッチ１４を押下すると最高の温度レベルに対応する基準温度値が選択され、設定レベルスイッチ１６を押下すると操作部９４によって設定された温度レベルに対応する基準温度値が選択される。このため、制御装置１０の前面パネル５２の温度レベル設定スイッチ５８を操作することなく、即座にいずれかの基準温度値を選択することができる。従って、発熱処置具４の操作性が向上されている。
【００８８】
図１０を参照して、本発明の第２実施形態を説明する。本発明の第２実施形態の発熱処置装置は、第１実施形態の発熱処置装置２と、補正温度値記録部１０６に記録された補正温度値の変化パターンのみ異なる。
【００８９】
本実施形態の変化パターンを図１０に示す。この変化パターンでは、出力時間０ｓｅｃで補正温度値が４０℃となっている。そして、出力時間０ｓｅｃから２ｓｅｃまでの間、補正温度値は４０℃で一定である。この後、出力時間２ｓｅｃで補正温度値は０℃となる。そして、出力時間２ｓｅｃから４ｓｅｃまでの間、補正温度値は０℃で一定である。これ以後、変化パターンは、出力時間０ｓｅｃから４ｓｅｃまでの変化を繰り返す。即ち、本実施形態の変化パターンは、周期的な矩形波パターンとなっている。
【００９０】
次に、上記構成の本実施形態の発熱処置装置の作用について説明する。本実施形態の発熱処置装置の作用は、第１実施形態の発熱処置装置２の作用と基本的に同様である。手術操作を行う際には、第１実施形態と同様に、制御装置１０の操作部９４によって温度レベルを設定する。ここで、第１実施形態と同様にレベル３に設定したとする。
【００９１】
把持部２４によって生体組織を把持し、フットスイッチ１２を押下して発熱手段４４を発熱させる。設定レベルスイッチ１６を押下した場合には、設定温度値は押下時には２２０℃に設定される。この結果、発熱手段４４は２２０℃まで加熱される。ほぼ２２０℃の高温度で発熱する発熱手段４４によって、生体組織と発熱手段４４との接触領域に集中して熱が伝えられる。
【００９２】
比較的小さな生体組織に処置を行う場合には、接触領域の周辺の広い範囲で充分に凝固作用が生じると共に接触領域で切開作用が生じる。即ち、凝固作用と切開作用とが同時進行し、出力時間が２ｓｅｃに達する前に生体組織に対する処置が完了する。
【００９３】
比較的大きな生体組織に処置を行う場合には、接触領域で切開作用が生じるが、生体組織が大きいために熱が拡散してしまうため、出力時間が２ｓｅｃに達しても切開処置は完了しない。また、接触領域の周辺に与えられる熱量が充分でないため、接触領域の周辺の生体組織で凝固作用が充分に促進されていない可能性がある。
【００９４】
出力時間２ｓｅｃから４ｓｅｃの間は、設定温度値は１８０℃で一定である。この結果、ほぼ１８０℃の低温度で発熱する発熱手段によって、接触領域に熱が伝えられる。この際、接触領域では切開作用はほとんど生じない。一方で、接触領域の周辺の広い範囲の生体組織に充分に熱量が伝えられ、この範囲で充分に凝固作用が促進される。
【００９５】
出力時間４ｓｅｃで、設定温度は再び２２０℃となる。この場合、前述した０ｓｅｃから２ｓｅｃの間と異なり、接触領域の周辺の組織には充分に熱が伝わっており、充分に凝固作用が完了しており、容易に切開処置が行える状態となっている。この結果、接触領域で充分な切開作用が生じる。このように、接触領域における切開処置と、接触領域の周辺の広い範囲での凝固作用の促進とが２ｓｅｃ間隔で生体組織に行われる。最終的に、生体組織への切開処置と、切開領域の周辺の広い範囲への凝固処置とが完了する。
【００９６】
そこで、上記構成のものにあっては第１実施形態の効果に加えて次の効果を奏する。設定温度値の設定に用いられる補正温度値の変化パターンは、周期的な矩形波パターンとなっている。また、この変化パターンは、出力時間０ｓｅｃで補正温度値が高温度となるタイプの矩形波パターンとなっている。ここで、補正温度値が高温度である時間帯には、発熱手段４４と生体組織との接触領域に短時間で多量の熱を与えることが可能である。このため、比較的小さな生体組織に処置を行う場合等、生体組織によっては第１実施形態よりも短時間で切開処置を完了することが可能である。
【００９７】
図１１及び図１２は、本発明の第３実施形態を示す。第１実施形態と同様な構成には、同一の参照符号を付して説明を省略する。本実施形態の発熱処置装置は、第１実施形態の発熱処置装置２と以下の構成のみ異なる。
【００９８】
図１１（Ａ）に模式的に示されるように、本実施形態の発熱処置具４の把持部２４の可動刃部２８の弾性部材４８には、複数の温度センサー１１４ａ，１１４ｂ，１１４ｃが配設されている。これら温度センサー１１４ａ，１１４ｂ，１１４ｃは、自身の温度により抵抗値が変化する測温抵抗体である。また、温度センサー１１４ａ，１１４ｂ，１１４ｃは、熱電対等であってもよい。
【００９９】
温度センサー１１４ａ，１１４ｂ，１１４ｃは、弾性部材４８の内面（生体組織と接触する側の面）に配設され、把持部２４が閉じられた場合に発熱素子４２ａ，４２ｂ，４２ｃに対向する位置に配置されている。また、温度センサー１１４ａ，１１４ｂ，１１４ｃは、把持部２３により生体組織を把持した場合には、生体組織に接触して生体組織の温度を測定することが可能な構成となっている。
【０１００】
温度センサー１１４ａ，１１４ｂ，１１４ｃには、夫々、第１及び第２のリード線からなるセンサーケーブル１１６ａ，１１６ｂ，１１６ｃの先端部が接続されている。これらセンサーケーブル１１６ａ，１１６ｂ，１１６ｃは、図示されないが、可動刃部２８及び固定ハンドル３２内を延設され、接続ケーブル６内に挿通されている。
【０１０１】
図１２に本実施形態の発熱処置装置の制御装置１０の回路ブロック図を示す。温度センサー１１４ａ，１１４ｂ，１１４ｃに接続されているセンサーケーブル１１６ａ，１１６ｂ，１１６ｃの第１のリード線の後端部は、夫々、第３のコネクタ端子１１８ａ，１１８ｂ，１１８ｃに接続されている。これら第３のコネクタ端子１１８ａ，１１８ｂ，１１８ｃは、夫々、組織温度測定部１２０ａ，１２０ｂ，１２０ｃに接続されている。一方、センサーケーブル１１６ａ，１１６ｂ，１１６ｃの第２のリード線の後端部は、全て第４のコネクタ端子１２２に接続されている。この第４のコネクタ端子１２２は接地されている。
【０１０２】
本実施形態の制御装置では、素子温度測定部８６ａ，８６ｂ，８６ｃは使用されておらず、代わって、温度センサー１１４ａ，１１４ｂ，１１４ｃからの出力に基づいて生体組織の温度を測定する上記組織温度測定部１２０ａ，１２０ｂ，１２０ｃが使用されている。各組織温度測定部１２０ａ，１２０ｂ，１２０ｃは、生体組織の温度を測定し、測定した生体組織の温度を各素子温度制御部８８ａ，８８ｂ，８８ｃに入力するようになっている。
【０１０３】
各素子温度制御部８８ａ，８８ｂ，８８ｃは、設定温度値設定部１０２から入力された設定温度値と、各組織温度測定部１２０ａ，１２０ｂ，１２０ｃから入力された生体組織の測定温度との差に基づいて各発熱素子４２ａ，４２ｂ，４２ｃへの出力値を決定するようになっている。また、各素子温度制御部８８ａ，８８ｂ，８８ｃは、各出力部に接続されており、各出力部９０ａ，９０ｂ，９０ｃに出力値を入力するようになっている。
【０１０４】
一方、発熱素子４２ａ，４２ｂ，４２ｃに接続されている素子ケーブル４６ａ，４６ｂ，４６ｃの第１のリード線の後端部が夫々接続されている第１のコネクタ端子８２ａ，８２ｂ，８２ｃ、及び、素子ケーブル４６ａ，４６ｂ，４６ｃの第２のリード線の後端部が夫々接続されている第２のコネクタ端子８４ａ，８４ｂ，８４ｃは、夫々、出力部９０ａ，９０ｂ，９０ｃに接続されている。第１実施形態と同様に、各出力部９０ａ，９０ｂ，９０ｃは、接続ケーブル６を介して各発熱素子４２ａ，４２ｂ，４２ｃに電力を供給するようになっている。
【０１０５】
次に、上記構成の本実施形態の発熱処置装置の作用について説明する。本実施形態の発熱処置装置の作用は、第１実施形の発熱処置装置の作用と基本的に同じである。手術操作を行う際に生体組織を把持部２４で把持すると、温度センサー１１４ａ，１１４ｂ，１１４ｃが生体組織に接触される。これら温度センサー１１４ａ，１１４ｂ，１１４ｃを用いて、各組織温度測定部１２０ａ，１２０ｂ，１２０ｃは、生体組織の温度を測定する。各素子温度制御部８８ａ，８８ｂ，８８ｃは、設定温度値設定部１０２から入力された設定温度値と、各組織温度測定部１２０ａ，１２０ｂ，１２０ｃから入力された生体組織の測定温度との差に基づいて各発熱素子４２ａ，４２ｂ，４２ｃへの出力値を決定する。
【０１０６】
そこで、上記構成のものにあっては次の効果を奏する。把持部２４により生体組織が把持されたときに、生体組織に直接接触する位置に温度センサー１１４ａ，１１４ｂ，１１４ｃが配設されている。これら温度センサー１１４ａ，１１４ｂ，１１４ｃを用いて各組織温度測定部１２０ａ，１２０ｂ，１２０ｃにより生体組織の温度を測定し、設定温度値と生体組織の測定温度との差に基づいて各素子温度制御部８８ａ，８８ｂ，８８ｃにより各発熱素子４２ａ，４２ｂ，４２ｃへの出力値を決定する。このため、実際の生体組織の温度に基づいて発熱素子４２ａ，４２ｂ，４２ｃの出力が決定されるため、生体組織に凝固切開処置を的確に行うことが可能となっている。
【０１０７】
次に、本出願の他の特徴的な技術事項を下記の通り付記する。  
記  
（付記項１）  生体組織に対し凝固または切開を行う発熱処置具用電源において、
生体組織を処置するための熱を発生可能な発熱手段と、
前記発熱手段の温度を測定する温度測定手段と、
前記発熱手段の温度を設定する温度設定手段と、
生体組織の処置中、処置の進行に従って変化する補正値を用いて前記温度設定値を補正する補正手段と、
前記補正値の変化パターンを予め記憶する補正パターン記憶部と、
前記温度測定手段により測定される測定値と、前記補正手段により補正される補正値とから前記発熱手段に供給すべき電力を制御する制御手段と、
を有する発熱処置具用電源。
【０１０８】
（付記項２）  生体組織に対し凝固または切開を行う発熱処置具用電源において、
生体組織を処置するための熱を発生可能な発熱手段と、
前記生体組織を把持する把持手段と、
前記把持手段近傍に配置され、前記把持手段が前記生体組織を把持する際の生体組織の温度を測定する生体組織温度測定手段と、
前記発熱手段の温度を設定する温度設定手段と、
生体組織の処置中、処置の進行に従って変化する補正値を用いて前記温度設定値を補正する補正手段と、
前記補正値の変化パターンを予め記憶する補正パターン記憶部と、
前記生体組織温度測定値と前記補正後設定温度の温度差に従って、発熱手段に供給すべき電力を制御する制御手段と、
を有する発熱処置具用電源。
【０１０９】
（付記項３）  上記補正パターンは、主に凝固作用を引き起こすように補正を行う第１補正値と、主に切開作用を引き起こすように補正を行う第２補正値とを組み合わせて構成されている事を特徴とする第１項〜第２項記載の発熱処置具用電源。
【０１１０】
（付記項４）  上記補正パターンは、上記第１補正値と上記第２補正値との範囲で周期的に変化する波形である事を特徴とする付記項第３項記載の発熱処置具用電源。
【０１１１】
（付記項５）  上記補正パターンは、上記第１補正値を上限とし、上記第２補正値を下限とする三角波であることを特徴とする第４項記載の発熱処置具用電源。
【０１１２】
（付記項６）  上記補正パターンは、上記第１補正値を上限とし、上記第２補正値を下限とする矩形波であることを特徴とする第４項記載の発熱処置具用電源。
【産業上の利用可能性】
【０１１３】
切開処置が短時間で完了しかつ凝固処置が確実に行える、外科手術あるいは内科手術で生体組織に凝固、切開等の処置を行う発熱処置装置及び発熱処置具のための制御装置を提供する。
【図面の簡単な説明】
【０１１４】
【図１】本発明の第１実施形態の発熱処置装置を示す説明図。
【図２】本発明の第１実施形態の発熱処置装置の発熱処置具を示す側面図。
【図３】（Ａ）は、本発明の第１実施形態の発熱処置装置の発熱処置具の把持部を示す縦断面図、（Ｂ）は、本発明の第１実施形態の発熱処置装置の発熱処置具の把持部の固定刃部を示す横断面図。
【図４】（Ａ）は、本発明の第１実施形態の発熱処置装置の制御装置を示す斜視図、（Ｂ）は、本発明の第１実施形態の発熱処置装置の制御装置の背面パネルを示す後面図。
【図５】本発明の第１実施形態の発熱処置装置の回路ブロック図。
【図６】本発明の第１実施形態の発熱処置装置の制御装置の補正温度値記憶部に記憶されている補正温度値の変化パターンを示す図。
【図７】本発明の第１実施形態の発熱処置装置の作用を示す第１のフローチャート。
【図８】本発明の第１実施形態の発熱処置装置の作用を示す第２のフローチャート。
【図９】本発明の第１実施形態の発熱処置装置の作用を示す第３のフローチャート。
【図１０】本発明の第２実施形態の発熱処置装置の制御装置の補正温度値記憶部に記憶されている補正温度値の変化パターンを示す図。
【図１１】（Ａ）は、本発明の第３実施形態の発熱処置装置の発熱処置具の把持部を示す縦断面図、（Ｂ）は、本発明の第３実施形態の発熱処置装置の発熱処置具の把持部の固定刃部を示す横断面図。
【図１２】本発明の第３実施形態の発熱処置装置の回路ブロック図。
【符号の説明】
【０１１５】
４…発熱処置具、８６…温度測定部、９０…出力部、１０２…設定温度値設定部、１０４…補正温度値入力部。
【図１】
2005110713.tif 000003
【図２】
2005110713.tif 000004
【図３】
2005110713.tif 000005
【図４】
2005110713.tif 000006
【図５】
2005110713.tif 000007
【図６】
2005110713.tif 000008
【図７】
2005110713.tif 000009
【図８】
2005110713.tif 000010
【図９】
2005110713.tif 000011
【図１０】
2005110713.tif 000012
【図１１】
2005110713.tif 000013
【図１２】
2005110713.tif 000014